(57)【特許請求の範囲】
【請求項１】
天然繊維を主原料とする原紙からなり、本体部の上部に展張物の係止用鉤部を有し、下部先端に突起部を設けたことを特徴とするアンカーピン。
【請求項２】
天然繊維を主原料とする原紙が、バルカナイズドファイバであることを特徴とする請求項１に記載のアンカーピン。
【請求項３】
天然繊維を主原料とする原紙が、繊維材料を抄造、圧縮、乾燥、断裁加工の手段により製造されたものであることを特徴とする請求項１に記載のアンカーピン。
【請求項４】
厚みが２〜１２ｍｍであることを特徴とする請求項１に記載のアンカーピン。
【請求項５】
植生用網状体に使用することを特徴とする請求項１に記載のアンカーピン。
【発明の詳細な説明】
【技術分野】
【０００１】
本発明は、天然繊維を主体として構成された展張物固定用アンカーピンに関するものである。
【背景技術】
【０００２】
従来一般に使用されているアンカーピンは、鉄系線材を用いて、たとえば図３に示すように鉄系線材の本体部１の上部に係止用鉤部２を設け、下部の先端に土中に打ち込み固定できるような突起部３を設けたものが多く用いられてきた。この鉄系線材を用いたアンカーピンは、強度が強く、テントの固定や農業用網状体や、傾斜地の崩壊防止用の植生用ネットの固定などに用いられることは勿論であるが、重量が非常に重いことと、使用する個数も多いことから、使用のつど施工する現地に運搬したり、回収するのに重量の影響で大変負担がかかるという問題があった。
【０００３】
また、本発明者らは、従来用いられている可燃性のポリエチレンもしくはポリプロピレンなどの可燃性材料からなる網状体は勿論、本発明者が特願２００２−２８０６６７号にて提案するように木材パルプから製造された紙ひも網状体（ネット）の引止め固定に際して、軽量で、反復使用可能で、必要に応じて燃焼処理しても有害ガスの発生がなく、処分しやすいことは勿論であるが、廃棄に際して地中埋設しても微生物の作用により、自然に土の中に還元するアンカーピンを生み出したものである。
【０００４】
【特許文献１】特開平１１−２４７０８８号公報
【特許文献２】特開２００２−１０５８９４号公報
【発明の開示】
【発明が解決しようとする課題】
【０００５】
解決しようとする問題点は、従来の鉄系金属ピンの重量が非常に大きく運搬回収に多大の労力、運送費用がかかることと、展張された網状物などのアンカーピンによる固定作業が大変であり、ピンの回収作業も大変であるので、軽量なピンの出現が待望されていたことと、特に網状物自身が土中で分解可能なものを用いる場合、或いはポリエチレンもしくはポリプロピレンなどの燃焼時有害ガスを発生しないものを用いる場合、一緒に燃焼しても有害ガスを発生せず、更には天然セルロース系の網状体の場合など一緒に土中に埋設しても同時に分解され、回収する必要がないかあるいは回収後無公害で、処理の容易なアンカーピンの出現が待望されていた。
【課題を解決するための手段】
【０００６】
本発明は、上記の実情に鑑みて鋭意検討の結果生み出されたもので、その概要は、天然繊維を主原料とする原紙からなり、本体部の上部に展張物の係止用鉤部を有し、下部先端に突起部を設けたことを特徴とするアンカーピン（請求項１）であり、天然繊維を主原料とする原紙がバルカナイズドファイバであることを特徴とする請求項１に記載のアンカーピン（請求項２）であり、天然繊維を主原料とする原紙が、繊維材料を抄造、圧縮、乾燥、断裁加工の手段により製造されたものであることを特徴とする請求項１に記載のアンカーピン（請求項３）である。
また、厚みが２〜１２ｍｍであることを特徴とする請求項１に記載のアンカーピン（請求項４）であり、植生用網状体に使用することを特徴とする請求項１に記載のアンカーピン（請求項５）である。
【０００７】
本発明で、天然繊維と称するものは、綿（コットン繊維）、木材繊維（木材パルプから得られる線繊維）等の植物繊維及び絹、羊毛等の動物繊維を含むが、アンカーピンとして廉価で好適に使用される繊維は、植物繊維であり、この植物性繊維を原料とし、膠化させたバルカナイズドファイバが好適に使用される。なお、バルカナイズドファイバの具体例については後述する。
【０００８】
本発明のアンカーピンが好適に使用される植生用網状体は、山腹等の自然傾斜面や道路開発に伴って形成された切取り法面あるいは盛土法面等の人工斜面における雨水または風等による土壌の浸食流亡を防止する手段として、前記斜面等に敷設するものである。この場合、緑化工法の一つとして植生用網状体に植物種子を担持して植生機能を持たせることも可能である。当該植生用網状体の素材としては、天然セルロース系パルプを主原料とする原紙からなる紙紐を編成したシート状網状体、ポリエチレン、ポリプロピレンおよびナイロン等の合成高分子繊維を編成したシート状網状体、ジュート繊維、椰子繊維、木綿繊維、竹繊維、羊毛、アセテート繊維、麻等の腐朽性繊維を編成したシート状網状体および金網等が挙げられる。これらの素材は、各々単独で網状に編成されてもよいし、複数を絡合させた絡合体に編成して形成されていてもよい。また、これらのシート状網状体は、単一シートでもよいし、複数枚積層して形成されたものでもよい。
本発明のアンカーピンは、これらの網状体の中でも特に天然セルロース系パルプからなる紙紐網状体や腐朽性繊維の網状体と共用した場合、土壌に埋設して放置した際、網状体とともに土中の微生物により分解されるので、回収の手間が省け好適である。
【発明の効果】
【０００９】
本発明のアンカーピンは、コットンパルプや木材パルプ等の天然繊維を主原料とする原紙からなるので、一定の幅と厚みの積層体とし、所定の形状に切削すればいかなる形状、寸法設計のもでも容易に製造することができ、多量生産できるので、コストも比較的安価であり、軽量で、運搬が容易で取り付けおよび取り外し作業が容易で、樹脂含浸で強度を高めることができ、この樹脂として不燃性樹脂を含浸させた場合以外は、土中で微生物により容易に分解するので、土中で容易に分解する繊維質ネットなどの網状物と一緒に廃棄処理することもできる。又燃焼で廃棄処理をしても有害ガスを発生することはない。
【発明を実施するための最良の形態】
【００１０】
本発明で用いられる天然繊維を主原料とする原紙は、代表的にはバルカナイズドファイバ（膠化繊維板）が知られている。具体的には、植物繊維をセルロース表面膨潤剤によって、膨潤させた状態で圧着した後該膨潤剤を除去したものである。代表的なものは、塩化亜鉛膨潤剤を用いたもので、たとえばファイバ原紙を液温３５℃〜５５℃で、濃度６８〜７２Ｂｅの濃厚塩化亜鉛溶液に複数枚浸漬して積層させ熟成後塩化亜鉛を洗浄除去し、乾燥することにより所定の厚さのものを得ることができる。
このようにして得られたバルカナイズドファイバは、好ましくは厚さ２．０〜１２ｍｍより好ましくは２．５〜６．０ｍｍで、密度１．０ｇ／ｃｍ３以下、層間剥離強度１０〜２０Ｎ／ｍ以上、引張強度８０〜１００Ｍｐａのものが得られる。その製造方法の一例は、綿ラグパルプまたはリンターパルプの粘度水準をタッピー式粘度で６ｃｐｓ以上９０ｃｐｓ程度に高めた原料を抄紙してバルカナイズドファイバ原紙として、この原紙をたとえば常温プラズマ処理した後塩化亜鉛溶液に浸漬して熟成、水洗、乾燥して製造される。バルカナイズドファイバの原料としては、針葉樹クラフト晒パルプ（ＮＢＫＰ）又は広葉樹クラフト晒パルプ（ＬＢＫＰ）を用いることにより通常の紙同様に容易に製造することができる。
【００１１】
更に、本発明は、天然繊維を主原料とする原紙が、木材繊維に代表される植物繊維や動物繊維等の繊維材料を抄造、圧縮、乾燥、断裁加工の手段により製造された繊維ボード状のアンカーピンである。該繊維ボードとしては、例えば北越製紙社製の「商品名：ＰＡＳＣＯ（パスコ）」が本発明に適用できる。この場合、抄造に使用される原紙の繊維材料としては古紙を使用することも可能である。また、抄紙後の圧縮工程は、コールドプレス、ホットプレスなど状況に応じて選択することができる。また、アンカーピンの形状に裁断した後、必要に応じて光沢加工を施すことができる。
【実施例１】
【００１２】
図１および図２は、本発明のアンカーピンの一例の斜視図であり、図１は、本体１の上部に一個のク字状の係止用鉤部２を設けて網などの引き止め部を引っ掛けて係止するようになっている。下端は大地への突き刺用突起部３である。図２は、他の実施例で、図１よりもやや本体１が幅広で、厚さの厚いもので構成されており、同一部分には同一符号が付されている。なお、図示していないが、上部の係止用鉤部２はク字状に限定されるものではなく、曲線状であってもよく、さらに必要に応じて左右に２個設けて網などの引き止めるようにしてもよい。下端はいずれも大地への突き刺し固定する突起部である。
【００１３】
本発明のアンカーピンは、上記のように材料が主として天然繊維から構成されているので、鉄系の従来のアンカーピンよりも遥かに軽量であるにもかかわらず、相当な強度を有し、通常の網状物は勿論テントなどの引き止めにも使用することができ、しかも万一廃棄処分する場合、有害ガスを発生することなく燃焼させることができ、さらには土中に埋設した場合でも微生物の作用により、自然に分解するので自然分解可能な網状物と一緒に放置したり、土の中に埋設するという簡単な処分が可能であり、また、網状物などの展張施工の前後に運搬しても比較的軽量で、施工も鉄系アンカーピンより軽いので作業が容易である。
【産業上の利用可能性】
【００１４】
本発明は、前述のような植生用網状体の固定以外にテント等の野外レジャー製品の固定用、農業用簡易被覆ネットの固定用、建築用網状体の固定等多数のアンカーピンによる固定を必要とする用途に適用できる。
本発明のアンカーピンは、天然繊維を主原料にしているので軽量であるという利点があり、運搬に際して容易である。また、使用後廃却する場合、燃焼しても容易に有害ガスを発生することなく処分することが出きる。更に又、使用に際して天然セルロース系パルプからなる紙紐網状体や腐朽性繊維の網状体と共用した場合、土中に埋設して放置した際、網状体と共に土中の微生物により分解されるので、環境への貢献も大きい。
【図面の簡単な説明】
【００１５】
【図１】本発明のアンカーピンの１実施例の斜視図である。
【図２】本発明のアンカーピンの他の実施例の斜視図である。
【図３】従来の鉄系アンカーピンの一例の斜視図である。
【符号の説明】
【００１６】
１    本体
２    係止用鉤部
３    突起部
【要約】
【課題】
従来の鉄系アンカーピンの重量が非常に大きく運搬回収に多大の労力、運送費用がかかることと、展張された網状物のアンカーピンによる固定作業が大変であり、ピンの回収作業も大変であるので、軽量なピンの出現が待望されていたことと、特に網状物自身が土中で分解可能なものを用いる場合、この網状物と一緒に廃棄処分をしても、網状物と同様に燃焼しても有害ガスを発生せず、網状物と一緒に土中に埋設しても同時に分解され、回収する必要のないアンカーピンの出現が待望されていた。
【解決手段】
コットンパルプや木材パルプ等の天然繊維を主原料とする原紙からなり、本体部の上部に網状物係止用鉤部を有し、下部先端に突起部を設けたことを特徴とするアンカーピンであり、天然繊維を主原料とする原紙が、バルカナイズドファイバである特徴とするアンカーピンであり、厚みが２〜１２ｍｍであることを特徴とするアンカーピンである。
【選択図】図１
【図１】
0003673797.tif 000002
【図２】
0003673797.tif 000003
【図３】
0003673797.tif 000004